(57)【要約】      （修正有）【課題】単一の容器本体内に多種類の文具を収納でき、且つ文具が分類され、使用者は便利に収納や使用することができ、携帯が便利な多種類の文具の提供。【解決手段】イルカ造形の本体構造を含み、前記本体の中空胴体の内部には仕切板が一つ設けてあり、前記仕切板の頂面には発声装置が組付けてあり、前記仕切板の下面にはホッチキスが組付けてあり、前記本体の前縁には発光装置が組付けてあり、なお、前記本体の頂面と両側面とには嵌め具５０，６０，７０を嵌めて連接するための嵌め溝１５，１６が設けてあり、前記本体の後端には連接具８０を挿入して連接するための連接溝１８が凹設してあることを特徴とする多機能文具の組合構造。【選択図】図２
0003117264.tif 000002
【実用新案登録請求の範囲】
【請求項１】
イルカ造形の本体構造を含み、前記本体の中空胴体の内部には仕切板が一つ設けてあり、前記仕切板の頂面には発声装置が組付けてあり、前記仕切板の下面にはホッチキスが組付けてあり、前記本体の前縁には発光装置が組付けてあり、なお、前記本体の頂面と両側面とには嵌め具を嵌めて連接するための嵌め溝が設けてあり、前記本体の後端には連接具を挿入して連接するための連接溝が凹設してあることを特徴とする、
多機能文具の組合構造。
【請求項２】
前記発声装置は発声機構であるリードを弾く機械式のものであることを特徴とする、請求項１に記載の多機能文具の組合構造。
【請求項３】
前記発光装置は、一つのボタンを押圧することにより、所在位置を表示するための光源を発光するものであることを特徴とする、請求項１に記載の多機能文具の組合構造。
【請求項４】
前記嵌め具は、それぞれ魚の背びれと、魚の側のひれとの造形を持ち、なお、前記嵌め具の端部には、鉛筆素子、伸縮ナイフ素子、手紙開け用ナイフ、のり、修正液、又は手工具素子などをそれぞれ組付けてもいいことを特徴とする、請求項１に記載の多機能文具の組合構造。
【請求項５】
前記連接具は、一つの鋏素子であり、その取っ手部位が魚の尾びれの造形を持つことを特徴とする、請求項１に記載の多機能文具の組合構造。
【考案の詳細な説明】
【技術分野】
【０００１】
本考案は、多機能文具の組合構造に係り、特に、各種類の文具を収容することができ、一つのもので多種類の用途にも使用できる多機能文具の組合構造に関するものである。
【背景技術】
【０００２】
従来の技術では、文具を収容するための容器は上に開口した円筒形状または矩形形状を持つものであるが、このような構造によれば、全ての文具が前記容器内に入れられ、ある文具を使用しようとするときには、使用者は文具を前記容器から探し出すことが必要であり、鋏やナイフなどの文具の鋭い部位が上に向かれた場合には、ある文具を探し出す使用者の手部は怪我し易かった。
【考案の開示】
【考案が解決しようとする課題】
【０００３】
本考案の主な目的は、単一の容器本体内に多種類の文具を収納でき、且つ文具が分類され、使用者は便利に収納や使用することができる多機能文具の組合構造を提供する。
【０００４】
本考案の次の目的は、多種類の文具の携帯が便利になる多機能文具の組合構造を提供する。
【課題を解決するための手段】
【０００５】
上記目的を達成するためになされた本願の考案は、イルカ造形の本体構造を含み、前記本体の中空胴体の内部には仕切板が一つ設けてあり、前記仕切板の頂面には発声装置が組付けてあり、前記仕切板の下面にはホッチキスが組付けてあり、前記本体の前縁には発光装置が組付けてあり、なお、前記本体の頂面と両側面とには嵌め具を嵌めて連接するための嵌め溝が設けてあり、前記本体の後端には連接具を挿入して連接するための連接溝が凹設してあることを特徴とする多機能文具の組合構造であることを要旨としている。
【０００６】
本願の考案では、前記発声装置は発声機構であるリードを弾く機械式のものであることを特徴とする請求項１に記載の多機能文具の組合構造であることを要旨としている。
【０００７】
本願の考案では、前記発光装置は、一つのボタンを押圧することにより、所在位置を表示するための光源を発光するものであることを特徴とする請求項１に記載の多機能文具の組合構造であることを要旨としている。
【０００８】
本願の考案では、前記嵌め具は、それぞれ魚の背びれと、魚の側のひれとの造形を持ち、なお、前記嵌め具の端部には、鉛筆素子、伸縮ナイフ素子、手紙開け用ナイフ、のり、修正液、又は手工具素子などをそれぞれ組付けてもいいことを特徴とする請求項１に記載の多機能文具の組合構造であることを要旨としている。
【０００９】
本願の考案では、前記連接具は、一つの鋏素子であり、その取っ手部位が魚の尾びれの造形を持つことを特徴とする請求項１に記載の多機能文具の組合構造であることを要旨としている。
【考案の効果】
【００１０】
本考案に係る多機能文具の組合構造によれば、次のような効果がある。
（イ）単一の容器本体内に多種類の文具を収納でき、且つ文具が分類され、使用者は便利に収納や使用することができる。
【００１１】
（ロ）多種類の文具の携帯が便利になる。
【考案を実施するための最良の形態】
【００１２】
以下、添付図面を参照して本考案の好適な実施の形態を詳細に説明する。
【００１３】
まず、図１乃至図４を参照する。本考案に係る多機能文具の組合構造は、イルカ造形の本体１０を含み、前記本体１０の中空胴体１１の内部には仕切板１２が一つ設けてあり、前記仕切板１２の頂面には発声装置２０が組付けてあり、前記仕切板１２の下面にはホッチキス３０が組付けてあり、前記本体１０の前縁には発光装置４０が組付けてあり、なお、前記本体１０の頂面と両側面とには嵌め具５０，６０，７０を嵌めて連接するための嵌め溝１５，１６，１７が設けてあり、前記本体１０の後端には連接具８０を挿入して連接するための連接溝１８が凹設してあり、上記構成により、本考案の全体の造形はイルカを呈する。
【００１４】
前記発声装置は発声機構であるリードを弾く機械式のものであり、前記発声装置に連接したバネ回りロッド２２を旋回することにより、リードが弾かされて音楽が発生し、なお、前記発光装置は、本体１０の前縁に組み付けられ、一つのボタンを押圧することにより、所在位置を表示するための光源を発光するものである。
【００１５】
また、三つの嵌め具５０，６０，７０は、それぞれ魚の背びれと、魚の側のひれとの造形を持ち、鋏素子である連接具８０の取っ手部位が魚の尾びれの造形を持ち、なお、前記嵌め具５０の底端に鉛筆５１が組付けてあり、前記鉛筆５１を本体１０から引出すと、使用者は文字を書くことができ、前記嵌め具６０の側辺に伸縮ナイフ６１が組付けてあり、前記伸縮ナイフ６１を本体１０から引出すと、使用者は紙などを切ることができ、また、前記嵌め具７０の側辺の軸穴７１内にドライバーが脱着自在に設けてあり、前記ドライバーを本体１０から引出すと、使用者はネジをねじ込み、又はねじ出すことができ、蒸気構成により、本考案は、文具を収納する効果を有すると共に、全体の外観も綺麗になる。
【図面の簡単な説明】
【００１６】
【図１】本考案の外観概略図である。
【図２】本考案の構造を示す分解斜視図１である。
【図３】本考案の構造を示す分解斜視図２である。
【図４】本考案の断面図である。
【符号の説明】
【００１７】
１０      本体                      １１      中空胴体
１２      仕切板
１５，１６，１７      嵌め溝
１８      連接溝                    ２０      発声装置
２２      バネ回りロッド            ３０      ホッチキス
４０      発光装置                  ４１      ボタン
５０，６０，７０      嵌め具
５１      鉛筆                      ６１      伸縮ナイフ
７１      軸穴                      ７２      ドライバー
８０      連接具                    ８１      取っ手
【図１】
0003117264.tif 000003
【図２】
0003117264.tif 000004
【図３】
0003117264.tif 000005
【図４】
0003117264.tif 000006